【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
サンプル上に光プロファイルを生成するための光源と、
前記サンプルと前記光源からの光の相互作用から生成される特性光を検出するための少なくとも１つの受光素子を有する受光器と、
前記サンプルを支持するための支持体であって、前記光プロファイルに対して移動可能である支持体と、
前記支持体と前記光プロファイルの間に発生したと予期される相対運動に基づいて、特定の時間において前記受光素子によって記録されたスペクトル値を、前記特定の時間において前記受光素子によって記録された前記特性光を生成したと予測される前記サンプル上の点に関連づけるように構成された処理ユニットと
を備えることを特徴とする分光装置。
【請求項２】
前記処理ユニットは、前記スペクトル値が記録された時間以外の時間において取得された、前記光プロファイルに対する前記支持体の相対位置についての情報に基づいて、スペクトル値を前記サンプル上の点と関連づけることを特徴とする請求項１に記載の分光装置。
【請求項３】
前記受光器は、以前の既知の位置から予測される、前記光プロファイルに対する前記支持体の相対運動に基づいて、起動されることを特徴とする請求項１または２に記載の分光装置。
【請求項４】
測定期間中の光プロファイルに対する前記支持体の移動は一定速度であり、前記処理ユニットは、前記受光素子が前記測定期間中に等間隔の時間間隔でスペクトル値を記録するように、前記受光器を制御するように構成されていることを特徴とする請求項１乃至３のいずれか一項に記載の分光装置。
【請求項５】
前記支持体および／または光プロファイルは、加速期間中に前記一定速度まで加速され、処理ユニットは、前記加速期間の終了後に前記特性光に対するスペクトル値を記録し始めるように前記受光器を制御するように構成されていることを特徴とする請求項４に記載の分光装置。
【請求項６】
サンプリングしようとする初期点が識別されて、前記支持体および／または光プロファイルが、交差位置から後退させられた位置から動かされ、前記交差位置において、前記初期点が、前記光プロファイルによって照射されて、前記初期点が前記交差位置になる時間までに前記加速期間が終了するように、前記受光素子上に特性光を生成することを特徴とする請求項５に記載の分光装置。
【請求項７】
前記処理ユニットは、既知の時間における前記光プロファイルに対する前記支持体の既知の相対位置から、前記点が前記光プロファイルによって照射されて前記受光素子上に当たる特性光を生成する、前記特定の時間を外挿するように構成されていることを特徴とする請求項１乃至６のいずれか一項に記載の分光装置。
【請求項８】
前記点が光プロファイルによって照射されて、前記受光素子上に当たる特性光を生成する前記時間は、前記既知の位置からの前記光プロファイルに対する前記支持体の既知の相対運動から外挿されることを特徴とする請求項７に記載の分光装置。
【請求項９】
前記既知の相対運動は、前記支持体および／または光プロファイルの事前設定加速度プロファイル、ならびに／または前記支持体および／または光プロファイルの事前設定速度プロファイルであることを特徴とする請求項８に記載の分光装置。
【請求項１０】
前記支持体の位置を検出するためのセンサを備えることを特徴とする請求項１乃至９のいずれか一項に記載の分光装置。
【請求項１１】
前記処理ユニットは、前記検出された位置から、前記サンプル上の所与の点が光プロファイルによって照射されて前記受光素子上に特性光を生成する時間を外挿するように構成されていることを特徴とする請求項１０に記載の分光装置。
【請求項１２】
前記処理ユニットは、前記検出された位置から前記支持体の速度を特定し、前記特定された速度を使用して、前記サンプル上の所与の点が、前記光プロファイルによって照射されて、前記受光素子上に特性光を生成する時間を特定するように構成されていることを特徴とする請求項１０または１１に記載の分光装置。
【請求項１３】
前記処理ユニットは、前記特定された速度から前記支持体の加速度を特定し、前記特定された加速度を使用して、前記サンプル上の所与の点が、前記光プロファイルによって照射されて、前記受光素子上に特性光を生成する時間を特定するように構成されていることを特徴とする請求項１２に記載の分光装置。
【請求項１４】
前記処理ユニットは、前記特定された速度および／または加速度に基づいて、前記受光器を始動させる時間を更新するように構成されていることを特徴とする請求項１２または１３に記載の分光装置。
【請求項１５】
前記受光素子がスペクトル値をその間に記録するサンプリング時間間隔が、前記支持体の検出された位置が前記処理ユニットにその間に報告される検出時間間隔よりも短いことを特徴とする請求項１０乃至１４のいずれか一項に記載の分光装置。
【請求項１６】
前記受光素子が前記サンプル上の点に対するスペクトル値を記録する、データ率が、前記支持体の位置を検出するためのデータ率よりも大きいことを特徴とする請求項１０乃至１５のいずれか一項に記載の分光装置。
【請求項１７】
前記受光器が受光器タイマを備え、前記受光素子が、前記受光器タイマからの信号に基づく時間にスペクトル値を記録するように構成されていることを特徴とする請求項１乃至１６のいずれか一項に記載の分光装置。
【請求項１８】
前記処理ユニットは、前記支持体が、前記光プロファイルに対して所定の位置にあると予測される時間に、前記受光器タイマを起動するように構成されていることを特徴とする請求項１７に記載の分光装置。
【請求項１９】
前記支持体を駆動するモータを備え、前記モータの速度が、前記受光器タイマからの信号に基づいて制御されることを特徴とする請求項１８に記載の分光装置。
【請求項２０】
サンプルに対して分光法を実施する方法であって、
前記サンプルを照射する光プロファイルに対して、前記サンプルを移動させて、前記サンプル上の複数の点を連続して照射するステップと、
受光器の受光素子を用いて、前記サンプルと、前記光プロファイルを形成する光との相互作用によって前記複数の点から生成される特性光を検出するステップと、
前記支持体と前記光プロファイルの間に発生したと予期される相対運動に基づいて、特定の時間において前記受光素子によって記録されたスペクトル値を、前記特定の時間において前記受光素子によって記録された前記特性光を生成したと予測される前記サンプル上の点に関連づけるステップと
を含むことを特徴とする方法。
【請求項２１】
請求項１乃至１９のいずれか一項に記載の分光装置の処理ユニットによって実行されると、前記処理ユニットに請求項２０の方法を実施させる命令を記憶していることを特徴とするデータキャリア。
【請求項２２】
サンプル上に光プロファイルを生成するように構成された光源と、
前記サンプルと前記光源からの光との相互作用から生成される特性光を検出するための少なくとも１つの受光素子を有する受光器と、
前記サンプルを支持するための支持体であって、前記光プロファイルに対して移動可能である支持体と、
前記支持体の移動を制御する処理ユニットであって、走査しようとする前記サンプルの区域の選択を受け取り、前記光プロファイルが走査しようとする前記区域と交差するときに、前記支持体が所定の速度に到達しているように、ある位置から所定の速度まで前記支持体を加速するように構成されている処理ユニットと
を備えることを特徴とする分光装置。
【請求項２３】
前記処理ユニットは、前記光プロファイルが一定速度で前記区域の一面にわたり走査されるように、前記光プロファイルに対する前記支持体の相対移動を制御するように構成されていることを特徴とする請求項２２に記載の分光装置。
【請求項２４】
サンプルに対して分光法を実施する方法であって、
走査しようとするサンプルの区域の選択を受け取るステップと、
光源によってサンプル上に生成された光プロファイルに対して前記サンプルを移動させて、前記サンプルの前記区域において、複数の点を連続して照射するステップと、
受光器の受光素子で、前記サンプルの、前記光プロファイルを形成する光との相互作用によって前記複数の点から生成される特性光を検出するステップとを含み、
前記光プロファイルが走査しようとする前記区域と交差するときに、サンプルが所定の速度に到達しているように、サンプルは、ある位置から所定の速度まで加速されることを特徴とする方法。
【請求項２５】
請求項２２または２３に記載の分光装置の処理ユニットによって実行されるときに、前記処理ユニットに請求項２４の方法を実施させる命令を記憶していることを特徴とするデータキャリア。
【請求項２６】
サンプル上に光プロファイルを生成するように構成された光源と、
前記サンプルと、前記光源からの光との相互作用から生成された特性光を検出するための、複数の受光素子を備える前記複数の受光器であって、当該複数の受光素子が少なくとも１つの行または列に構成されている、受光器と、
前記サンプルを支持するための支持体であって、前記光プロファイルに対して移動可能な支持体と、
前記支持体が前記光プロファイルに対して所定の一定速度で移動しているときに、前記複数の受光素子が前記特性光に対するデータを記録するように、前記受光器を始動させるように構成された処理ユニットであって、データは、少なくとも１つの行または列の前記受光素子の間で繰り返しシフトされ、各連続シフトは、以前のシフトから等しい時間間隔の後に行われる処理ユニットと
を備えることを特徴とする分光装置。
【請求項２７】
前記等しい時間間隔が、事前設定された一定速度に基づいて事前設定されていることを特徴とする請求項２６に記載の分光装置。
【請求項２８】
前記光プロファイルに対する前記支持体の所定の一定速度、および前記データがシフトされる間隔が、前記データが行または列に沿ってシフトされるときに、前記サンプルの所与の点または領域からの特性光に対して記録されたデータが、少なくとも１つの行または列の連続する前記受光素子に蓄積するように選択されることを特徴とする請求項２６または２７に記載の分光装置。
【請求項２９】
前記一定速度は、所望の露出時間と、１つの受光素子の高さに対応する、前記サンプル上の距離とに基づいて事前選択されることを特徴とする請求項２７または２８に記載の分光装置。
【請求項３０】
サンプルに対して分光法を実施する方法であって、
光源によって前記サンプル上に生成された光プロファイルに対して前記サンプルを移動させて、前記サンプルと前記光プロファイルを形成する光との相互作用により複数の点から生成された特性光が、受光器の複数の受光素子の上に当たるように、前記サンプルの区域内の複数の点を連続的に照射するステップであって、前記複数の受光素子が少なくとも１つの行または列に構成されているステップと、
前記受光素子が前記特性光に対するデータを記録するように、前記支持体が前記光プロファイルに対して所定の一定速度で移動するときに、前記受光器を起動するステップであって、データは、前記少なくとも１つの行または列の前記受光素子間で繰り返しシフトされ、各連続するシフトは、以前のシフトから等しい時間間隔の後に行われるステップと
を含むことを特徴とする方法。
【請求項３１】
請求項２６乃至２９のいずれか一項に記載の分光装置の処理ユニットによって実行されると、前記処理ユニットに、請求項３０の方法を実施させる命令を記憶していることを特徴とするデータキャリア。